Podtech/llm-jp-corpus-v4-ja_patent huggingface dataset:
(57)【要約】      （修正有）【課題】筐体サイズを小さくしつつ、スピーカー鳴動音の漏れを防止し、マイクへの集音を抑制する構造を提供する。【解決手段】スピーカーとマイクを有する電子機器の遮音構造は、電子機器の上ケース２０と電子機器の下ケース３０と上ケースに固定したスピーカー４０とマイクホルダー５０とマイクホルダーに固定したマイク６０とを有する。上ケースと下ケースの内表面に交互の二重の遮音壁を設け、マイクホルダーの周囲に遮音壁を設け、下ケースから円周の突起を設け上ケースと嵌合し、マイク室を密閉することで遮音する。【選択図】図４
2019140445.tif 000002
【特許請求の範囲】
【請求項１】
スピーカーとマイクを有する電子機器の遮音構造において、前記電子機器の上ケースと前記電子機器の下ケースと前記上ケースに固定したスピーカーとマイクホルダーと前記マイクホルダーに固定したマイクと、を有し、前記上ケースと下ケースの内表面に交互の二重の遮音壁を設け、前記マイクホルダーの周囲に遮音壁を設け、前記下ケースから円周の突起を設け前記上ケースと嵌合し、マイク室を密閉することで遮音することを特徴とする音響特性向上の為の遮音構造。
【発明の詳細な説明】
【技術分野】
【０００１】
本発明は、電子機器筐体に関する。
【背景技術】
【０００２】
スピーカーを有する電子機器における筐体内部の遮音構造として、前記電子機器の筐体を構成する上ケースと下ケースにより前記スピーカーを格納するスピーカー格納室および電気回路を格納する回路格納室を構成し、前記上ケースまたは下ケースの所定の部位に前記スピーカーと前記電気回路とを接続する接続コードを収める間隙を有する平行板を形成し、前記平行板が形成されていない下ケースまたは上ケースの前記平行板と対向する部位に平行板収納部を形成し、前記平行板の内面に前記スピーカー格納室からのスピーカー鳴動音の漏れを防止するリブを形成することで遮音構造を実現している。（例えば、特許文献１）。
【先行技術文献】
【特許文献】
【０００３】
しかしながら、特許文献１において、筐体サイズが小さくなると、遮音壁一つでは、スピーカー鳴動音を完全に遮音することが困難となる。また、筐体サイズが小さくなることにより、スピーカーとマイクの距離が近くなる為、スピーカー鳴動音がマイクへ集音されてしまう。
【特許文献１】実用新案登録第３１７３５３７号
【発明の概要】
【発明が解決しようとする課題】
【０００４】
本発明は、上記の問題を解決するために、筐体サイズを小さくしつつ、スピーカー鳴動音の漏れを防止し、マイクへの集音を抑制するところにある。
【課題を解決するための手段】
【０００５】
上記の課題を解決する為に、本発明は、スピーカーとマイクを有する電子機器の遮音構造において、前記電子機器の上ケースと前記電子機器の下ケースと前記上ケースに固定したスピーカーとマイクホルダーと前記マイクホルダーに固定したマイクと、を有し、前記上ケースと下ケースの内表面に交互の二重の遮音壁を設け、前記マイクホルダーの周囲に遮音壁を設け、前記下ケースから円周の突起を設け、前記上ケースと嵌合し、マイク室を密閉することで遮音することを特徴とする。
【発明の効果】
【０００６】
本発明によれば、二重の遮音壁構造とし、マイクホルダーを密閉状態にすることで、部品構成を少なくでき、且つ筐体サイズを小さくしつつスピーカー鳴動音を遮音する構造を提供できる。
【図面の簡単な説明】
【０００７】
【図１】本発明の実施の一形態に音響機器を示す斜視図である。
【図２】図１の状態から下ケースを外した底面図である。
【図３】図１の状態から上ケースを外した平面図である。
【図４】上下ケースの嵌合を示す図１のＡ−Ａ線断面図である。
【発明を実施するための形態】
【０００８】
以下に、図面を参照しながら、本発明の実施の一形態について説明する。
【０００９】
図１は、本発明の実施の一形態に音響機器１０を示す斜視図である。
【００１０】
音響機器１０は、上ケース２０と下ケース３０から成る構造である。音響機器１０には、後述するスピーカー４０、マイクホルダー５０、マイク６０を有している。
【００１１】
図２は、図１の状態から下ケース３０を外した底面図である。上ケース２０にスピーカー４０とマイクホルダー５０、マイク６０を固定した状態を表している。
スピーカー音が後述するスピーカー格納室３１から漏洩を防止するために、上ケース２０の内表面に下ケース３０と交互の遮音壁Ａ２１を設ける。簡単な作業で配線する為に上ケース２０の内表面に平行壁からなるスピーカーコード配線部２２を設ける。マイクホルダー５０とマイク６０を密閉して固定する為の円周リブＡ２３を設ける。
【００１２】
図３は、図１の状態から上ケース２０を外した平面図である。スピーカー音がスピーカー格納室３１から漏洩することを防止する為に、スピーカー格納室３１に遮音壁Ｂ３２を設ける遮音壁Ｂ３２にスピーカーコード配線部２２を遊挿する位置に凹部３３を設ける。マイクホルダー５０とマイク６０を密閉して固定する為に下ケース３０に円周リブＢ３４を設ける。
【００１３】
図４は、上ケース２０と下ケース３０の嵌合を示す図１のＡ−Ａ線断面図である。凹部３３にスピーカーコード配線部２２を遊挿した状態を表している。また、円形リブＡ２３と円形リブＢ３４を嵌合し、マイクホルダー５０とマイク６０が嵌合した状態を表している。
【００１４】
以上、本発明を実施する形態について説明した。本発明を実施する形態によれば、筐体サイズを小さくしつつ簡単な部品構成且つ簡単な作業で配線可能で、しかも二重の遮音壁により遮音性が損なわれずスピーカー音がスピーカー格納室から漏洩を防止する遮音構造を実現できる。
【００１５】
尚、本発明を実施する形態では、電子機器として音響機器を例に説明したが、本発明の構造は、電子機器一般に適用可能であり、音響機器以外に、特に電話機などの音響特性が求められる通信機器にも適している。
【符号の説明】
【００１６】
１０  音響機器  
２０  上ケース  
２１  遮音壁Ａ
２２  スピーカーコード配線部
２３  円周リブＡ
３０  下ケース
３１  スピーカー格納室
３２  遮音壁Ｂ
３３  凹部
３４  円周リブＢ
４０  スピーカー
４１  スピーカーコード
５０  マイクホルダー
６０  マイク
【図１】
2019140445.tif 000003
【図２】
2019140445.tif 000004
【図３】
2019140445.tif 000005
【図４】
2019140445.tif 000006
(57)【要約】【課題】本件は、固定子と動力子とから構成されており、両者の吸磁関係によつて回転運動を惹起するものである。【解決手段】本件の骨子として先ず固定子と回転子が配設される。周囲の固定子としては、一つは磁気を帯びない磁性体であり、他の一つは磁石体である。  磁気を有しない外輪に依って構成される場合、内輪の回転子は磁石体によって構成される。  内輪と外輪は相互に吸磁し合う関係であることが必須で、内外輪共に磁石体である場合と固定子が非磁性であり回転子が磁石体である場合が想定されるがこれは何れにても可能である。ホッピングを基礎動作とした回転機で、回転軸に間隔を置いて固定された上下２枚の回転盤に、それぞれに永久磁石を固定し、その永久磁石の反発力のみを活用した回転磁気力エンジンを目途した構成をなすもので、化成燃料等を必要としない経済的にも環境的にも非常に優れた動力である。【選択図】図１
2019140885.tif 000002
【特許請求の範囲】
【請求項１】
回転自在な中心軸の軸心を中心に間隔を置いて配設された１組の回転円盤の上板と下円盤は、互いに遊性的円盤であり同期しない。
外核の４本支柱で囲まれた内側の円盤上には、各３個の永久磁石が固設されている。この円盤は、遊性的に組み込まれており、無負荷の状態に於ける動作は自在に回転する方向を保持している。
更に、上板に於いては、下円盤に配設された３個の永久磁石と反発力を以って相呼応すべく、同個数且つ同等の磁気力を保持した永久磁石が配設されている。
次に、この上板に構設された永久磁石は、上板の上下運動に因って下円盤の上面に固設された永久磁石群と相感応し、反発力を生じる。
【発明の詳細な説明】
【技術分野】
【０００１】  本件は、回転体に於する固定された磁石体と併記した基本動作として磁性体とが互いに間隔を縮めるべくして運動を起こす。
換言すれば、固定子側に配設された吸磁物体と動力子が任意の間隔を保つべく方向に力関係が働き運動を起こす。
この運動の有りようがすなわち本件の目途する回転運動である。
【産業上の利用可能性】
【０００２】  本件における応用範囲はすこぶる広い。本件は、電磁石等を応用した多種に渉る機器に不可欠な電力またこれ等に付属する複雑で多岐に渉る機構の全てが省略される。
先ず、大小各種自動車・重機であるクレーン・農業用耕運機等々に於いても革命的役割を果たすことが期待される。
昨今は未開発国における近代化の勢いも凄まじく、電力の消費量・業種的拡範は世界的な広がりの体に止まらず、その量的需要の広がりもまた括目に値する。【０００３】  更に述べるならば、船舶、一般家庭、災害時等、多種多様かつ広範である。運搬の多様性かつ物量的拡大を要因とする運搬手段の拡大的増加があげられる。また、上速に伴った個々の運搬手段の大型化もこれに拍車をかける大きな要因となっていることは否めない。
ちなみに、船舶や一般家庭レベルの個々の形態に於いても従前をはるかにしのぐ大型化の傾向は避けられない。これらもまた、物量的需要の拡大と相まって一層の増大を助長している。
しかも、更にも増して世界の家庭レベルに於ける急速な需要の増大に拍車をかけている。このことは、用途的に更に倍する必要性を生ずる現象であり、自明の理とも言うべき事柄であろう。
本件は、以上ような分野において、大いに役立つ動力装置である。
【図面の簡単な説明】
【０００４】  以下、ホッピング形式に依る回転機の概念を図示しながら解説する。先ず、
【図１】は、永久磁石の組み込まれた回転部の側面図である。上下両面から構成されており、それぞれ游性的に構成されている。
【図２】は、上板の平面図
【０００５】  上下マグネット部位は、共に連動すべく関係として構成されている。本件は自力自動すべく構成であり、初期起動時に於いて自力による始動が成されるよう設定されている。
この初期起動は順次に伝搬され、この連鎖によって回転運動が構成される。換言すれば、自力自動を意図し、これが成されるべく仕組みの合成であり。原理である。【０００６】  更に詳しく説明すると図１）、回転自在な中心軸の軸心を中心に間隔を置いて配設された１組の回転円盤である。上板と下円盤は、互いに遊性的円盤であり同期しない。
枠内に描かれた（図１）は、本発明の原理を示す２葉の組図の内の側面を図示したものである。外核の４本支柱で囲まれた内側の円盤上には、各３個の永久磁石が固設されている。
叉、この円盤は、遊性的に組み込まれており、無負荷の状態に於ける動作は自在に回転する方向を保持している。
更に、上板に於いては、下円盤に配設された３個の永久磁石と反発力を以って相呼応すべく、同個数且つ同等の磁気力を保持した永久磁石が配設されている。
次に、この上板に構設された永久磁石は、上板の上下運動に因って下円盤の上面に固設された永久磁石群と相感応し、反発力を生じしむる互換関係を構成するものであり、本発明の根幹を成す処である。
【符号の説明】
【０００７】  １  磁石
２  下円盤
３  シャフト
４  上板
５  下板
６  スプリング
７  支主
８  ベアリング
【図１】
2019140885.tif 000003
【図２】
2019140885.tif 000004
(57)【要約】【課題】  手動式発電機の稼働持続を改善する為、自転車等のペダルに発電機を取り付けた、ペダル発電式充電器を提供する。【解決手段】  自転車等のペダル軸にモーターを連結させて、足で漕ぎ、ペダル軸の回転利用を特徴とする。【選択図】図１
2019137377.tif 000002
【特許請求の範囲】
【請求項１】
ペダル軸に発電機を取り付け、回転を利用して発電させて、ペダルに取り外し可能な蓄電器を設ける。
【発明の詳細な説明】
【技術分野】
【０００１】この発明は、自転車等のペダルに発電機を取り付けたものである
【背景技術】
【０００２】従来、手回し式の発電機は広く、世に出ていた
【先行技術文献】
【特許文献】
【０００３】
【特許文献１】特開００００−００００００号公報
【発明の概要】
【発明が解決しようとする課題】
【０００４】これは、次のような欠点があった
従来の手回し式は、手が疲れ、数分で指と腕が痛くなり、持続が困難であった。
【課題を解決する為の手段】
【０００５】自転車等のペダルを漕ぐ動作には、持久性があるので
ペダルの軸にギアを取り付けモーターに連結し、ペダルを漕ぐ事で発電するようにした
【発明の効果】
【０００６】  手や腕を痛めることなく、長い稼働が可能となり
携帯電話等の充電不足を復旧できる
また、通勤通学レジャー等の自転車等使用時間の使用で、発電をする為の時間を設けず
目的地に向かいながら、発電できるようになった。
【図面の簡単な説明】
【０００７】
【図１】  本発明の平面図
【図２】  本発明の正面図
【発明を実施するための形態】
【０００８】  以下、本発明を実施するための形態について説明する。
ペダル（１）の軸の端にギア（２）を取り付け、モーター（３）を連結して
ペダル下部に蓄電池ＢＯＸ（４）を取り付け、ボルトナットで固定する。
これを使用する時は、ペダルを漕いで発電させ、充分に蓄電し携帯電話等を充電する。
【符号の説明】
【０００９】  １  ペダル
２  ギア
３  モーター
４  蓄電池ＢＯＸ
【図１】
2019137377.tif 000003
【図２】
2019137377.tif 000004
(57)【要約】【課題】撚りピッチを長く甘く作る甘打ちロープにおいて、甘く、膨らみ感を解消する。【解決手段】  ビニロン紡績糸またはエステルマルチ糸と、ポリエチレン糸とを混合して構成された、水溶性樹脂付着浸透ヤーンを中心芯としたストランを、並打ちロープに比べて長い撚りピッチで三つ撚りされた、甘打ちロープである。【選択図】図１
2019137967.tif 000002
【特許請求の範囲】
【請求項１】
ビニロン紡績糸またはエステルマルチ糸と、ポリエチレン糸とを混合して構成された、水溶性樹脂付着浸透ヤーンを中心芯としたストランを、並打ちロープに比べて長い撚りピッチで三つ撚りされた、甘打ちロープ。
【請求項２】
前記並打ちロープよりも２０％撚りピッチが長い、請求項１の甘打ちロープ。
【請求項３】
ビニロン紡績糸またはエステルマルチ糸と、ポリエチレン糸とを混合して構成されるヤーンに水溶性樹脂を付着浸透し、
前記ヤーンをストランの中心芯に挿入し、
前記ストラン３本を並打ちロープに比べて長い撚りピッチで三つ撚りして製鋼し、
前記水溶性樹脂を乾燥する、
甘打ちロープの製造方法。
【発明の詳細な説明】
【技術分野】
【０００１】
本案は繊維ロープの撚りピッチを長く甘打ちに製綱して、軽く細くても強化と安全作業性経済性を得る甘打ちロープに関する。
【背景技術】
【０００２】
従来、普通打ち（並打ち）ロープに比べ、撚りピッチを長く甘打に作る事でロープの長さは長く成り、重量は軽く成り、引っ張り強度は高くなるが、ダラダラ甘く太く膨らむことによる安全作業性と商品価値の下落が問題であった。
【先行技術文献】
【特許文献】
【０００３】
【特許文献１】特開２００７-２５４９４１号公報
【特許文献２】特開２０１５-０５９２７６号公報
【発明の概要】
【発明が解決しようとする課題】
【０００４】
撚りピッチを長く甘く作る甘打ちロープにおいて、ダラダラ、甘く、膨らみ感を解消することを目的とする。
【課題を解決するための手段】
【０００５】
本発明は、ビニロン紡績糸またはエステルマルチ糸と、ポリエチレン糸とを混合して構成された、水溶性樹脂付着浸透ヤーンを中心芯としたストランを、並打ちロープに比べて長い撚りピッチで三つ撚りされた、甘打ちロープである。
【０００６】
上記甘打ちロープは、前記並打ちロープよりも２０％撚りピッチが長いことが好ましい。
【０００７】
また、本発明は、ビニロン紡績糸またはエステルマルチ糸と、ポリエチレン糸とを混合して構成されるヤーンに水溶性樹脂を付着浸透し、前記ヤーンをストランの中心芯に挿入し、前記ストラン３本を並打ちロープに比べて長い撚りピッチで三つ撚りして製鋼し、前記水溶性樹脂を乾燥する、甘打ちロープの製造方法である。
【発明の効果】
【０００８】
軽く細くても強度を高く、経済性、安全作業性を高くできる。例えば、直径１０ｍｍの普通打ち（並打ち）ロープ、１００ｍを、ロープの撚りピッチを２０パーセント、長くすれば約１２０ｍになり、重量も約６ｋｇから約４、８ｋｇになり、引っ張り強度も９９０ｋｇから１０００ｋｇ以上（約）になる。従来の方法では、ロープの撚りピッチを長く甘く作ると、ダラダラ、甘く、膨らみ感があるが、本発明によれば、水溶性樹脂等を付着浸透した混合強力ポリエチレン糸等を含むヤーンをストランの中心に挿入したストラン３本を撚りピッチを長く３つ撚りに製綱して付着樹脂の乾燥することによって、甘くダラダラ太く脹らみ感を解消できる。
【図面の簡単な説明】
【０００９】
【図１】３つ撚りロープの視斜図。
【発明を実施するための形態】
【００１０】
図１は本実施形態における３つ撚りロープの斜視図である。ビニロン紡績糸またはエステルマルチ糸と、ポリエチレン糸とを混合して構成されるヤーン(5)に水溶性樹脂を付着浸透した中心芯を有するストランを、並打ちロープに比べて長い撚りピッチで三つ撚りされている。
【００１１】
本案は従来の並打（普通打）ロープよりも２０パ−セントピッチを長く甘く製鋼して、軽く強くロープの長さを得て、細く軽く強化を得て、安全作業性、経済性に貢献する。
【００１２】
強力ポリエチレン糸には水溶性樹脂は殆ど付着浸透しないが、水溶性樹脂が付着浸透し易いビニロン紡績糸やエステルマルチ糸を混合して、その混合本数の変化で水溶性樹脂の付着量の加減が可能となる。
【００１３】
水溶性樹脂を付着浸透した混合強力ポリエチレン糸等を含むヤーンをストラン３本の芯に挿入して３つ撚りロープに製綱して付着浸透樹脂を乾燥することによって、甘打ちロープのダラダラ、太く脹らみ感を解消できる。
【００１４】
ビニロン紡績糸またはエステルマルチ糸と、強力ポリエチレン糸とを混合して構成されるヤーン（５）に水溶性樹脂を付着浸透したものをストランの中心芯に挿入し、前記ストラン３本を３つ撚りにピッチを長く製鋼し、樹脂を乾燥する。甘くダラダラ太く脹らみ感の解消で細く軽く撚りピッチを長くした分ロープは長く成る。更に引っ張り強化、耐光性、摩耗強化、経済性、安全作業性が向上できる。
【００１５】
図１のように、ストランの中心には水溶性樹脂が付着浸透した中心芯がある。ストランの外側面には、ビニロンと強化ポリエチレン、エステル糸等を混合して成る混合集糸束（７）が多数束存在している。さらに、エステル集糸束（７の７）を引っ張り強化と耐光性、摩耗強化のために１束外側面に構成する。更に混合集糸束（７）の内側には、単糸集合体芯（６）をロープを軽く太く強化を得るために構成の中心にしている。
【符号の説明】
【００１６】
５  水溶性樹脂浸透ヤーン
６  単糸集合体芯
７  混合集糸束
７の７  エステル集糸束
【図１】
2019137967.tif 000003
(57)【要約】【課題】  紙や樹脂等を使用した安くて丈夫な簡易スタンドを提供する。【解決手段】  （１）１枚の厚紙を三つ折りにして三角形をつくり、内２面を台紙兼支脚部とし、１面を補助支脚部とする。  （２）補助支脚部には５箇所の折曲部を設け、その両端の下部に糊代を取り台紙兼支脚部に貼り付ける。  このようにして、安定した開閉角度を確保した簡易スタンドとなる。【選択図】図１
2019137028.tif 000002
【特許請求の範囲】
【請求項１】
１枚の長方形の厚紙を三つ折りにして３つの台紙部を作り、内両端の２つの台紙部は台紙兼支脚部に位置付け、また、中央部の１つの台紙部は補助支脚部に位置付け、この補助支脚部に５箇所の折曲部を設けた、表面も裏面も利用可能な簡易スタンドであり、図２に示すように、三つ折りにした３つの台紙部のうち中央部の補助支脚部に位置づけた台紙を二つ折りにし、さらに左右それぞれに２箇所の折曲部を設け、その両端の下部と台紙兼支脚部の下部に糊代を取り、両者を貼り合わせることで安定した開閉角度を確保できる簡易スタンド。
【発明の詳細な説明】
【技術分野】
【０００１】  この発明は、卓上カレンダーや写真立て等のスタンドを使用する際、スタンドを支えるため、自由に開閉できる補助支脚部を設けることにより、任意の角度でスタンドを立てることが出来、又、非使用時には、支脚を閉じることにより、支脚部と台紙が一体となって平坦な板になる、紙や樹脂等の板状財を使用した、安価で取り扱いも簡単な簡易スタンドに関するものである。
【背景技術】
【０００２】  従来、  卓上カレンダーや写真等を立てて展示使用とする場合、紙や樹脂等のスタンドを使うしかなく、手軽に使用できるスタンドはなかった。
このようなことから、気軽に安く使える簡易スタンドの出現が望まれていた。
【先行技術文献】
【技術文献】
【０００３】
【発明が解決しようとする課題】
【０００４】  これらは、次のような問題点があった。
（１）紙や樹脂等の板状財を使用したものは、必要以上に頑丈になっており使い勝手が悪く、値段も高くなっている。
（２）市販の紙製の卓上カレンダーは、スタンドの開閉角度を一定に保つことが難しい。
本発明は、以上のような欠点を無くし、誰でもが気軽に安価に簡易スタンドを使用できるようにしたものである。
【課題を解決するための手段】
【０００５】  １枚の長方栄の厚紙を三つ折りにし、
（１）図２に示すように、厚紙を三つ折りにし三角形にした台紙のうち、両側の台紙は、台紙兼支脚部を形成する。
（２）中央部の台紙は、補助支脚部の役割を担わせるため内側に二つ折りにし、さらに左右それぞれ２箇所を内側に折り曲げ、計５箇所の折曲部を設ける。そして、その両端の下部に糊代を取り台紙兼支脚部に貼り付ける。
（３）三角形の上部は、バインダーリング等で結合する。
このようにして、安定した開閉角度を確保した簡易スタンドとなる。
【発明の効果】
【０００６】  多様化する日常生活の中でデジカメやスマートホン等の急激な普及により写真の愛好家が増えている。
写真は、撮る楽しみ、見る楽しみ、人にあげる楽しみがあり、そのための機材は整っているが、手軽に、安全に、経済的に使えるスタンドは見当たらない。
又、ポストカードや絵葉書や絵手紙等も人気があるものの、手軽に使えるスタンドはない。市販されている各種のスタンドは、使用する際に手間がかかり、値段も高く気軽に使えない。
市販の卓上カレンダーは、逆Ｖ字型の補助支脚部を内蔵した単純な構造であるが、開閉角度の確保に難があり、また支脚の位置が下方にあるため見た目もきれいとはいえない。
本発明の簡易スタンドは、５箇所の折曲部を有する内臓式の補助支脚部が開いたり閉じたりする構造のもので安定した開閉角度を確保できる。
また、非使用時には平坦になる等視角的にもすっきりしている。
本発明は、次のような特徴を持っている。
（１）手軽に使える。
（２）軽く、薄く、丈夫である。
（３）安価である
（４）台紙の両面が使える。
さらに、この簡易スタンドの応用例としては、
（１）厚紙等で作る簡易スタンドは、目的に合った各種サイズや形状のものを用意することで各種写真等の展示物を簡単に展示できる。
（２）補助支脚部を別色の紙にすることで、よりきれいな簡易スタンドになる。
（３）この簡易スタンドに、より大きな台紙を貼り付けることで簡単スタンドとしても使える。
（４）ポストカードや絵葉書やブロマイドやメッセージカード等の下部に支脚機能を設けることでスタンド内蔵型のポストカード等となる。
（５）図４に示すように、三つ折りにした３つの台紙部の内、端部の補助支脚部に位置づけた台紙を二つ折りにし、さらに左右それぞれに２箇所の折曲部を設け、その両端の下部と台紙兼支脚部の下部を貼り付けることで安定した開閉角度を確保できる簡易スタンドとなる。
（６）図５に示すように、長方形の紙等を二つ折りにし、別途用意する五つ折りにした補助支脚部を貼り付けることで補助支脚部内臓の簡易スタンドとなる。
【図面の簡単な説明】
【０００７】
【図１】  本発明の簡易スタンドの斜視図である。
【図２】  本発明の簡易スタンドの展開図である。
【図３】  本発明の簡易スタンドの側面図である。
【図４】  本発明の簡易スタンドを応用した（５）のスタンドの展開図である。
【図５】  本発明の簡易スタンドを応用した（６）のスタンドの展開図である。
【図面を実施するための形態】
【０００８】  以下、本図面を実施するための形態について説明する。
（１）卓上カレンダーや写真等のスタンドを立てる場合、台紙兼支脚部を開く。
（２）卓上カレンダーや写真等のスタンドの傾き角度は、台紙兼支脚部の開きの大小により調節する。
（３）卓上カレンダーや写真等のスタンドを閉じる場合、台紙兼支脚部を閉じる。
【符号の説明】
【０００９】    １  台紙兼支脚部
２  補助支脚部
３  折り曲げ線
４  バインダーリング
５  バインダーリング穴
６  のりしろ
【図１】
2019137028.tif 000003
【図２】
2019137028.tif 000004
【図３】
2019137028.tif 000005
【図４】
2019137028.tif 000006
【図５】
2019137028.tif 000007
(57)【要約】      （修正有）【課題】書類の出し入れをしやすくした壁に掛けるウォールポケットで、ファイル状ポケットどうしを固定するためにファイル状ポケット以外の新たな器具を用いることなく、ファイル状ポケットを好きな個数かつ、好きな重なりの高さで連結・固定することで完成する、スナップボタンで増やせるファイル式ウォールポケットを提供する。【解決手段】台形型にしたファイル式ポケットの上部及び、下部に画鋲で固定するための孔９をもち、上辺７以外の三辺を閉じたファイル状ポケットで、かつファイル状ポケットを連結させるため、背面外側に雄となる凸状スナップボタン５を、背面内側に雌となる凹状スナップボタン６を持ち、ファイル状ポケットを好きな数、好きな連結間隔で組み立てることのできる、スナップボタンで増やせるファイル式ウォールポケット。【選択図】図３
2019137027.tif 000002
【特許請求の範囲】
【請求項１】
台形型にしたファイル式ポケットの上部及び、下部に画鋲で固定するための孔をもち、上辺以外の三辺を閉じたファイル状ポケットで、かつファイル状ポケットを連結させるため、背面外側に雄となる凸状スナップボタンを、背面内側に雌となる凹状スナップボタンを持ち、ファイル状ポケットを好きな数、好きな連結間隔で組み立てることのできる、スナップボタンで増やせるファイル式ウォールポケット。
【発明の詳細な説明】
【技術分野】
【０００１】  本発明は、書類の出し入れをしやすくした壁に掛けるウォールポケットで、ファイル状ポケットどうしを固定するためにファイル状ポケット以外の新たな器具を用いることなく、ファイル状ポケットを好きな個数かつ、好きな重なりの高さで連結・固定することで完成する、スナップボタンで増やせるファイル式ウォールポケットである。
【背景技術】
【０００２】  書類収納専用のものではないが、小物を壁収納するべく、ポケット部分に柔らかいソフトビニルや布を用いた、あらかじめポケットを規定の数、背面の素材に固定したウォールポケットがあった。【０００３】  壁掛け収納ではないが、書類の出し入れが簡便な、床に直接置いて使用するマガジンラックがあった。【０００４】  壁掛け収納ではないが、書類の出し入れが簡便な、机の上や床に直接置いて使用する引き出しタイプの収納があった。
【発明の概要】
【発明が解決しようとする課題】
【０００５】  それには次のような問題点があった。
（イ）ポケット数があらかじめ決められているウォールポケットはあるが、ポケットの数が不足する場合、ポケットを一個単位で増やし、連結させることができず、必要なポケット数のみを設置することができず、不足を感じたまま解消することができなかった。反対に、ポケットの数が多すぎる場合、ポケット数を手軽に減らず事ができなかった。【０００６】（ロ）既存のウォールポケットは、すでに背面に用いた台紙となる部分に、あらかじめポケットが接着されており、ポケット部分を台紙から自由に可動させることができず、ポケット同士の連結間隔を個別に調整することができなかった。【０００７】（ハ）書類の出し入れが簡単なマガジンラックや引き出しタイプの収納があるが、床や机に直接置く構造ゆえ、十分なスペースを持つオフィスや学校などの施設にしか設置することができず、狭いオフィスや店舗、家庭などにおいては不向きであった。
本発明は、以上の問題点を解決するためのものである。
【課題を解決するための手段】
【０００８】  台形型のファイルの並行する長い辺を上辺、短い辺を下辺とし、上辺が開くように残りの三辺を閉じる。背面部分内側に向く凹状の雌となるスナップボタンを、背面部分外側に向く凸状の雄となるスナップボタンを設置する。この上辺を開き、同様の特徴を持つファイル状ポケットを同じ向きで重ね入れ、適切な高さとなるように、挿入された側の雌のスナップボタンと、挿入した側の雄のスナップボタンを留め、連結・固定させる。同様の作業をポケットの必要数繰り返し、正面から各々の上辺より書類を差し込みいれる。その連なったファイル式ウォールポケットの上部と下部にある孔に画鋲やフックなどを用い、壁に掛ける。
以上を特徴とするスナップボタンで増やせるファイル式ウォールポケットである。
【発明の効果】
【０００９】  ファイル状ポケットを一個単位から連結させられることによって、使用者本人が必要なファイル状ポケット数に応じたウォールポケットを組み立てることができる。また、ファイル状ポケットの連結間隔を自由に調整できるため、ファイル状ポケットに挿入する書類の高さに統一性がなくとも、ポケットの連結間隔を調整できるため、使用者本人が適切な連結間隔にカスタマイズしてファイル状ウォールポケットを完成させることができる。これは、マガジンラックや引き出し型の収納の様に置く場所を取らず、画鋲やフックのみを用いるだけで壁に出し入れしやすく書類を収納することができる。
【図面の簡単な説明】
【００１０】
【図１】本発明であるファイル状ポケットの正面からの斜視図である。
【図２】本発明であるファイル状ポケットの背面からの斜視図である。
【図３】本発明であるファイル状ポケットを連結した際の背面図である。
【図４】本発明の使用状態図である。
【発明を実施するための形態】
【００１１】  以下、本発明の実施の形態について説明する。
（イ）図２に示すように、台形型にしたファイル式ポケットの背面において、ファイル状ポケット同士を連結させるための、雄となる凸状スナップボタン５を背面外側３に向くように、雌となる凹状スナップボタン６を背面内側４に向くようにに設置する。
（ロ）図１に示すように、台形型の上辺７を除く三辺を綴じたファイル式ポケットおいて、上辺７、下辺８に画鋲１１やフックで固定するための孔９を設けてある。
本発明は以上の構成よりなっている。
【００１２】  本発明を使用する時は、まず、差し込まれる側となるファイル状ポケットの上辺７を開き、もう一方の差し込む側のファイル状ポケットを同じ向きに重なるように差し込む。差し込まれた側のファイル状ポケットの背面内側４にある、雌となる凹状スナップボタン６を、差し込んだ側のファイル状ポケットの背面外側３にある雄となる凸状スナップボタン５と適切な高さとなるように選び、留めて連結させる。同様の作業を繰り返し、図３のように、ファイル状ポケットを必要な数、かつ、適切なポケット間隔となるように連結させる。凸状スナップボタン５と凹状スナップボタン６を止めた部分１０は図３のごとくである。上辺７および下辺８にある孔９を用いて画鋲１１やフックなどを用いて壁に設置し、連なったファイル状ポケットの正面における上辺７部分から書類等を差し込み入れることで、図４のごとく、書類等が自由に取り出し可能なファイル式ウォールポケットとなる。正面外側１および正面内側２にはスナップボタンなどを設けないため、すっきりとしたデザインを実現することができる。
【符号の説明】
【００１３】１  正面外側
２  正面内側
３  背面外側
４  背面内側
５  凸状スナップボタン
６  凹状スナップボタン
７  上辺
８  下辺
９  孔
１０凸状スナップボタン５と凹状スナップボタン６を止めた部分
１１  画鋲
【図１】
2019137027.tif 000003
【図２】
2019137027.tif 000004
【図３】
2019137027.tif 000005
【図４】
2019137027.tif 000006
(57)【要約】      （修正有）【課題】一人前のスパゲッティを簡単に取り出せるとともに、保存性の高いスパゲッティ保存容器を提供する。【解決手段】乾燥めんのスパゲッティ等を保存する容器１に、スパゲッティを小分けして入れられるプレート５を着脱自在に設けるとともに、ふた３の裏面に凹部を設け、該凹部に乾燥剤を収容する乾燥剤入れ９の凸部を着脱自在に係合させる。【選択図】図１
2019137459.tif 000002
【特許請求の範囲】
【請求項１】
本体とふたからなる、乾燥めん類の保存容器の本体に、小分けして入れられるプレートを着脱自在に取り付けたスパゲッティ保存容器。
【発明の詳細な説明】
【技術分野】
【０００１】  本発明は、乾燥めんのスパゲッティ等を小分けして保存するスパゲッティ保存容器に関するものである。
【背景技術】
【０００２】  従来、乾燥めんのスパゲッティはテープで一人前目安の１００ｇを束にしたものと、束になっていないバラバラのものがあった。
バラバラのものを一人前つかむクリップのようなものがあった。
【発明の概要】
【発明が解決しようとする課題】
【０００３】  これには、次のような欠点があった。
忙しい料理の時に、一々束のテープを外したり、一々一人前をつかむのは面倒であった。
本発明は、以上の問題点を解決するためになされたものである。
【課題を解決するための手段】
【０００４】  乾燥めんのスパゲッティ等を保存する密閉性のある容器に、スパゲッティを一人前目安の１００ｇづつに小分けして入れられるプレートを着脱手段によって着脱自在に設けたものである。
【発明の効果】
【０００５】  あらかじめ、保存容器の中でプレートによりスパゲッティが一人前目安の１００ｇづつに小分けされているので、さっと取り出してすぐにナベに入れられるため、忙しい料理の時間に何人前でも手間がかからず手早く調理できるので調法である。
【図面の簡単な説明】
【０００６】
【図１】  本発明の一部切り欠き正面図
【図２】  本発明の分解図
【図３】  予備のプレート
【発明を実施するための形態】
【０００７】  以下、本発明の実施の形態を説明する。
【０００８】  乾燥めんのスパゲッティを保存する密閉性のある容器１は、スパゲッティを入れる本体２の上部にふた３が設けられており、本体２にはスパゲッティを一人前目安の１００ｇづつに小分けして入れられる複数の小分け穴４が設けられたプレート５が設けられている。
【０００９】  プレート５は両側に設けられた突起６を本体２の内側の両側面に設けられた突起入れ７に入れることで着脱自在に取り付け保持される。
突起入れ７は本体２の中程よりやや上とやや下に設けられており、プレート５の位置を変えることで、一般的な長さのスパゲッティの他、短いものにも対応できる。
【００１０】  小分け穴４は、上口径より下口径が狭い短い筒が下方に向かって設けられているため入れ易く、下口径が一人前目安の１００ｇが入る大きさになっている。
【００１１】  ふた３の裏面には、複数の通気穴８のある乾燥剤入れ９が設けられており、乾燥剤１０が出し入れ自在に入っている。
乾燥剤入れ９は、両側面に設けられた凸部１１が、ふた３の裏面に設けられた凹部１２にはまって着脱自在に取り付けられている。
【００１２】  早ゆで用の太いスパゲッティを入れられる、大きい小分け穴を設けた予備のプレート１３等を備えてもよい。
スパゲッティ以外のめん類にも使え、プレート５を外せば、湿気が心配なノリ等の食品を入れることもできる。
乾燥剤は市販の物を使ってもよい。
【００１３】  以上、実施例を説明したが、上記実施例に限らず容器や小分け穴等の形状や大きさはどのようなものでもよい。
【符号の説明】
【００１４】  ［１］    容器
［２］    本体
［３］    ふた
［４］    小分け穴
［５］    プレート
［６］    突起
［７］    突起入れ
［８］    通気穴
［９］    乾燥剤入れ
［１０］  乾燥剤
［１１］  凸部
［１２］  凹部
［１３］  予備のプレート
【図１】
2019137459.tif 000003
【図２】
2019137459.tif 000004
【図３】
2019137459.tif 000005
(57)【要約】      （修正有）【課題】接着剤の経年劣化や地震などの影響により、接着剤が剥離してタイルが落下する事故が近年増加している為、タイルの荷重を受ける金具を併用する工法や、タイルの裏面を加工して金具を組み込む工法が考えられているが、その工法の複雑さや部品代と加工費コストの大巾増などの理由により普及しづらい状況であった。【解決手段】大板タイルの製造過程において裏面に一体成形の凸部を設け、それを利用して安全にかつ低コストに落下防止金具を取付けできるようにした。【選択図】図４
2019035292.tif 000002
【特許請求の範囲】
【請求項１】
タイルの製造過程において裏面に一体成形の凸部を設け、それを利用して安全かつ低コストに落下防止金具を取付けし、吊り下げて支持ができるようにしたことを特徴とする大板タイル及びその工法
【発明の詳細な説明】
【技術分野】
【０００１】
本発明は、建築物及び工作物の壁その他の面に大板タイルを施工する場合に、剥離による落下防止を目的とした大板タイルの裏面形状とそれを利用した新しい取付け施工方法に関するものである。
【０００２】
一般的に小口タイルは、モルタル系又は樹脂系の接着剤で全面圧着貼り工法を標準としているが、大板タイルは仕上がりの不陸精度を求められる為に同様の接着剤で部分接着による工法を採用している。
【０００３】
経年劣化や地震などの影響により、接着剤が剥離してタイルが落下する事故が近年増加している為、タイルの荷重を受ける金具を併用する工法や、タイルの裏面を加工して金具を組み込む工法等が考えられているが、その工法の複雑さや部品及び加工費によるコスト増加等の理由により普及しづらい状況である。
【先行技術文献】
【特許文献】
【０００４】
【特許文献１】特開２００７−１３８４６８号公報
【特許文献２】特開平５−１４８９７３号公報
【特許文献３】特開２０１３−０９１９６７号公報
【発明の概要】
【発明が解決しようとする課題】
【０００５】
大板タイルの汎用性、表現性はそのままに、安全かつ低コストの製品と工法が求められるところであった。
【課題を解決するための手段】
【０００６】
本発明は、前目的を達成するために下記の技術的手段を採用した。第一に大板タイルの製造過程において裏面に一体成形の凸部を設け、それを利用して安全にかつ簡単に落下防止金具を取付けできるようにしたことを特徴とする請求項１記載の大板タイルである。
【０００７】
第二に在来の金具併用工法にみられる工場での二次加工を無くし、製品をそのまま現場において施工できるため、加工費及び運送費の追加発生を無くすことができ、コストを抑えられる。
【発明の効果】
【０００８】
本発明の大板タイルは、在来の工法にみられる材料の一部を切り込み又は穴開けをして強度を損なうものではなく、一体成型された凸部を利用するために加工による破損の危険度が無い。
【０００９】
施工に先立って工場での二次加工、あるいは現場施工下地面に対して事前の金具取付工事等も不要であるため、工程的にもデメリットが無い。
【００１０】
また本発明の工法を検討しては、コンクリート面、金属面、木面等のあらゆる下地面に対して容易に施工が可能である。
【図面の簡単な説明】
【００１１】
【図１】図１は本発明の実施例を示す正側面図である。
【図２】図２は本発明の実施例を示す部分拡大図である。
【図３】図３は本発明の実施例を示す部分拡大図である。
【図４】図４は本発明の実施例を示す正側面図である。
【図５】図５は本発明の実施例を示す拡大側面図である。
【発明を実施するための形態】
【００１２】
以下、本発明の実施例について、図１から図５にもとづいて説明する。
【実施例１】
【００１３】
図１は、本発明タイル実施例の正側面図であって、大板タイルの裏面に複数の規則的に配置された凸部が一体成型で製造されるものである。
【００１４】
図２は、施工現場において金物を引っ掛けるために、タイル裏面に一体成型された凸部に工具を使って溝加工する。
【００１５】
図３は、溝加工した１または複数の凸部に、タイルを吊り下げる金具を引っ掛ける方法をあらわした図である。
【００１６】
図４は、金具を取り付け施工された状態を表すタイルの接着面と側面の図である。
【００１７】
図５は、取り付け施工された金具の側面の拡大図である。  
【符号の説明】
【００１８】
１    大板タイル
２    タイル裏面に一体成型された凸部
３    凸部に加工された溝
４    タイルを吊り下げる金属線
５    金属線を下地面にアンカー固定するための金属プレート
６    アンカーボルト
７    タイル貼り付け用の弾性接着剤
８    凸部に溝加工するグラインダー等工具
【図１】
2019035292.tif 000003
【図２】
2019035292.tif 000004
【図３】
2019035292.tif 000005
【図４】
2019035292.tif 000006
【図５】
2019035292.tif 000007
(57)【要約】      （修正有）【課題】食料品等々が不足してきた時のために空気からエネルギー、薬品、食品等々、を組み立てる方法の提供。【解決手段】分子構造がわかれば、どんな物でも組み立てる事は可能である。空気からはアルデヒド、メチルアルコール、樹脂、薬品、食物等々ができる。製造法は細いエナネル線の配置と加える電圧で決まってくる。メチルアルコールの場合ＣＨＯでできているのでギャップ１ｃｍが空気中で３０ＫＶでスパークすることを念頭に入れ組みたてればメチルアルコールが得られる。その他の場合Ｃ、Ｈ、ＮＯとすれば薬品や食品も上記したようにするとできる。メチルアルコールの場合、大きなタンクに配線し少し気圧を上げてやり例えば図のメチルアルコールを取り出せばよい。【選択図】図１
2019035135.tif 000002
【特許請求の範囲】
2019035135.tif 000004
【発明の詳細な説明】
2019035135.tif 000003
2019035135.tif 000005
【手続補正書】
【提出日】平成30年3月28日(2018.3.28)
【手続補正２】
【補正対象書類名】特許請求の範囲
【補正対象項目名】全文
【補正方法】変更
【補正の内容】
【特許請求の範囲】
【請求項１】
これらの分子構造が分かればどんな物でも組みたてる事が可能になる。
【請求項２】
ＣＨＯの価数に応じて電圧を加える。例えばＣは−４０ＫＶ  Ｈは−１０ＫＶ  Ｏは＋２０ＫＶと考えればよい。
【請求項３】
エナメル線の引力電圧を１０ＫＶオーダーにし組み建て時のエナメル線の間隔をｃｍオーダーとする。
【請求項４】
ハロゲン元素を利用した高分子や分子も組み建てられる
【請求項５】
印加電圧それぞれ価数に応じて整数倍する。
【請求項６】
二重結合の場合はエナメル線に加える
電圧は海中から（２０１７−０５６５９８用いる）Ｃを取り出しそれを利用して、組み立てる場合は４５ＫＶぐらい引加する。
【請求項７】
価数に応じてエナメル線の巾を設けセンチオーダーで設定する。
【手続補正３】
【補正対象書類名】明細書
【補正対象項目名】全文
【補正方法】変更
【補正の内容】
【発明の詳細な説明】
【技術分野】
【発明の概要】
【発明が解決しようとする課題】ガソリンが空気から出きる並びにアルデヒドならば薬品、食品の組み立てもできる。
【課題を解決するための手段】価数に応じて電圧を加える事によって薬品、食品も組み立てられる。
【発明の効果】低コストでアルデヒドの変型を組み立てることによって岩水化物、岩白質、脂質つまり食量品が出来る。
【図面の簡単な説明】
【図１】Ｄ重水素、Ｎ、ＦＨＯを空気中から取り出す。（２０１７−０５６５９８）Ｃを海水から取り出したのを用い薬品、食品を作り出す
【発明を実施するための形態】
【実施例】鉄製のパイプにグリースをつけて大量にガスを取り出しそれらを組み立てて食品、薬品等を作る。
【産業上の利用可能性】やはりプラントかして低コストで薬品、食品等のほかガソリンも作れる。
【手続補正４】
【補正対象書類名】図面
【補正対象項目名】全図
【補正方法】変更
【補正の内容】
【図１】
2019035135.tif 000006
(57)【要約】【課題】  スマホケースや財布に入れて携行できる薄板状のメガネを提供する。【解決手段】    未使用時は薄板状を成していて、メガネとして使用する時は右蝶番３Ｒと左蝶番３Ｌとレンズブリッジ４の箇所に示した山折線と谷折線に沿って折ることで立体形状になるので一対のツル２Ｒと２Ｌを耳に掛け、折り畳まれたレンズブリッジ４を鼻に乗せてメガネとして使用できる。メガネの使用を終えたら山折と谷折を元に戻すことで薄板状になるのでスマホケースとか財布などに収納可能となる。  構成上の大きな特徴はメガネの右半分の構成部品となる右レンズ１Ｒと右ツル２Ｒと右蝶番３Ｒと、メガネの左半分の構成部品となる左レンズ１Ｌと左ツル２Ｌと左蝶番３Ｌと、が薄板状に一体形成された面の中でレンズブリッジ４を中心とした点対称の配置であることで、この部品配置によって平板状に畳んだ時従来は実現が困難だった縦７センチメートル横１３センチメートルの長方形サイズ以下を実現できた。【選択図】図２
2019035928.tif 000002
【特許請求の範囲】
【請求項１】
一対のレンズと、一対のツルと、一対の蝶番と、レンズブリッジと、を具備するメガネにおいて前記一対のレンズと前記一対のツルと前記一対の蝶番と前記レンズブリッジが薄板状に一体形成され、メガネの右半分の構成部品となる前記レンズと前記ツルと前記蝶番と、メガネの左半分の構成部品となる前記レンズと前記ツルと前記蝶番と、が前記薄板状に一体形成された面の中で点対称の配置であり、前記薄板状に一体形成された面に山折する箇所と谷折する箇所とが具備されたことを特徴とする薄板状に畳めるメガネ。
【請求項２】
前記メガネで山折谷折した後の立体形状を維持させる箇所について、のりしろを具備した請求項１に記載のメガネ。
【発明の詳細な説明】
【発明の詳細な説明】
【技術分野】
【０００１】  本発明は、薄板状に畳めるメガネに関する。
【関連する背景技術】
【発明が解決しようとする課題】
【０００２】  外出先で老眼鏡が手元に無くレストランのメニューとか商品のタグが読めずとても不便なことがある。普段メガネを掛けずに生活し老眼鏡だけ必要な人にとっては、外出時に老眼鏡を家に置き忘れることがしばしば起こるし、忘れずにメガネケースに入れて持ち歩くと嵩張るし、それを嫌い裸のまま直接シャツやズボンのポケットに入れて持ち歩くと我慢できる程度の嵩張りで済むが落としたり曲げたりといった危険が増し、持ち歩くのに何とも厄介な代物だ。
【０００３】  本発明はこのような外出時にたまに使用する老眼鏡やサングラスなど嵩張るメガネを持ち歩く際の問題を解消するもので、その目的は、嵩張らないメガネを提供することにある。
【課題を解決するための手段】
【０００４】  上述した目的を達成すべく本発明に係るメガネは、携行時はレンズとツルと蝶番とレンズブリッジとが一体形成された薄板状であり、メガネとして使用する時にはこれを折り紙細工のように山折と谷折で立体化して一般のメガネと同様に両耳と鼻でメガネを支えて使用できるものである。そしてメガネを使い終えたら立体形状から薄板状へ戻し、あまり嵩張らないので例えばスマホケースとか財布などに入れて気軽に持ち歩ける。スマホケースや財布にメガネが同居している訳で、外出時にスマホや財布を忘れることはまず無いので老眼鏡を家に置き忘れることが無くなると期待できる。
【発明を実施するための形態】
【０００５】  以下、図面を参照して本発明の一実施形態に係るメガネについて説明する。
図１はメガネの概略構成を示す図で、右レンズ１Ｒ、右ツル２Ｒ、右蝶番３Ｒ、左レンズ１Ｌ、左ツル２Ｌ、左蝶番３Ｌ、レンズブリッジ４からなる。
右レンズ１Ｒ、右ツル２Ｒ、右蝶番３Ｒ、左レンズ１Ｌ、左ツル２Ｌ、左蝶番３Ｌ、レンズブリッジ４は一体に形成されて未使用時は薄板状を成している。メガネとして使用する時は右蝶番３Ｒと左蝶番３Ｌとレンズブリッジ４の箇所に示した山折線と谷折線に沿って折ることで立体形状になるので一対のツル２Ｒと２Ｌを耳に掛け、折り畳まれたレンズブリッジ４を鼻に乗せてメガネとして使用できる。メガネの使用を終えたら山折と谷折を元に戻すことで薄板状になるのでスマホケースとか財布などに収納可能となる。
【０００６】  構成上の大きな特徴はメガネの右半分の構成部品となる右レンズ１Ｒと右ツル２Ｒと右蝶番３Ｒと、メガネの左半分の構成部品となる左レンズ１Ｌと左ツル２Ｌと左蝶番３Ｌと、が前記薄板状に一体形成された面の中でレンズブリッジ４を中心とした点対称の配置であることで、この部品配置によって平板状に畳んだ時従来は実現が困難だった縦７センチメートル横１３センチメートルの長方形サイズ以下を実現できた。
なお、一対のレンズ１Ｒと１Ｌは老眼鏡用を例に挙げ携行メガネとしての有用性を説いてきたが、一対のレンズ１Ｒと１Ｌは度無しのサングラス用などであっても良い。
【０００７】  図２もメガネの概略構成を示す図で、右レンズ１Ｒ、右ツル２Ｒ、右蝶番３Ｒ、左レンズ１Ｌ、左ツル２Ｌ、左蝶番３Ｌ、レンズブリッジ４、のりしろ５からなる。
右レンズ１Ｒ、右ツル２Ｒ、右蝶番３Ｒ、左レンズ１Ｌ、左ツル２Ｌ、左蝶番３Ｌ、レンズブリッジ４は一体に形成されて未使用時は薄板状を成している。メガネとして使用する時は右蝶番３Ｒと左蝶番３Ｌとレンズブリッジ４の箇所に示した山折線と谷折線に沿って折ることで立体形状になるので一対のツル２Ｒと２Ｌを耳に掛け、折り畳まれたレンズブリッジ４を鼻に乗せてメガネとして使用できる。
山折谷折して立体化したメガネの形状を維持する仕掛けとしてのりしろ５があり、この箇所には粘着剤とかマジックテープとか磁石など一時的に部品間を密着維持する仕掛けを設ける。メガネの使用を終えたら容易に切り離せる程度の密着強度がよい。メガネの使用を終えたら山折と谷折を元に戻すことで薄板状になるのでスマホケースとか財布などに収納可能となる。
【発明の効果】
【０００８】  以上説明したように、本発明に係るメガネは、携行時はレンズとツルと蝶番とレンズブリッジとが一体形成された薄板状であり、メガネとして使用する時にはこれを折り紙細工のように山折と谷折で立体化して一般のメガネと同様に両耳と鼻でメガネを支えて使用するものである。そしてメガネを使い終えたら立体形状から薄板状へ戻し、あまり嵩張らないので例えばスマホケースとか財布などに入れて気軽に持ち歩ける。スマホケースや財布にメガネが同居している訳で、外出時にスマホや財布を忘れることはまず無いので老眼鏡を家に置き忘れることが無くなるといった実用上多大なる効果が奏せられる。
【図面の簡単な説明】
【０００９】
【図１】  本発明の一実施形態に係るメガネの概略構成図。
【図２】  本発明の一実施形態に係るメガネの概略構成図。
【符号の説明】
【００１０】  １Ｒ  右レンズ
１Ｌ  左レンズ
２Ｒ  右ツル
２Ｌ  左ツル
３Ｒ  右蝶番
３Ｌ  左蝶番
４    レンズブリッジ
５    のりしろ
【図１】
2019035928.tif 000003
【図２】
2019035928.tif 000004